(57)【要約】  本発明は、出産による、特に会陰の痛み又は不快感を軽減するための冷却パッド１１０を提供する。パッド１１０は、生理食塩水などの冷却用の流体を収容する少なくとも１つのチャンバ１１６を有する。体液が通り抜けることを可能にするための、少なくとも１つのアパーチャ１２６が存在する。アパーチャ１２６は、チャンバ１１６の内側に位置付けられる。アパーチャ１２６は、ウェブ１２４に形成される。冷却パッド１１０は、単体で使用されても、カバー層１３０と剥離式の裏当て１３２との間に挟まれて組立体の一部として使用されてもよく、また使用前に冷凍庫に入れられることが意図されている。
2020501860.tif 000002
【特許請求の範囲】
【請求項１】
痛み又は不快感を軽減するための冷却パッドであって、
−  冷却用の流体を収容する１つ又は複数のチャンバと、
−  前記１つ又は複数のチャンバの内側に位置付けられ、体液が通り抜けることを可能にする、少なくとも１つのアパーチャと
を含む、冷却パッド。
【請求項２】
前記パッドが、前記アパーチャ又は複数の前記アパーチャが形成されるウェブを有する、請求項１に記載の冷却パッド。
【請求項３】
前記パッドが、体液が通り抜けることを可能にする複数の前記アパーチャを含む、請求項２に記載の冷却パッド。
【請求項４】
前記アパーチャのサイズが互いに異なる、請求項３に記載の冷却パッド。
【請求項５】
−  前記パッドが、前方端部及び後方端部を有し、
−  単一のチャンバが、冷却用の前記流体を収容し、前記チャンバが、１つの頭部及び２つの脚部を有する、実質的に馬蹄形の構成を有し、第１の容積部が前記馬蹄形の前記頭部に位置付けられ、第２の容積部が前記馬蹄形の前記脚部に位置付けられる、
請求項１から３までのいずれか一項に記載の冷却パッド。
【請求項６】
前記第１の容積部が、前記第２の容積部のいずれよりも大きい、請求項５に記載の冷却パッド。
【請求項７】
前記第１の容積部が、前記前方端部に存在し、前記第２の容積部が、前記前方端部と前記後方端部の間に存在する、請求項６に記載の冷却パッド。
【請求項８】
会陰を落ち着かせるために使用されるときの、請求項１から７までのいずれか一項に記載の冷却パッド。
【請求項９】
乳腺炎によって引き起こされる痛み又は不快感を軽減させるために使用されるときの、請求項１又は２に記載の冷却パッド。
【請求項１０】
前方端部及び後方端部を有し、またウェブ上に位置付けられて冷却用の流体を収容する１つ又は複数のチャンバを含む、会陰を落ち着かせるための冷却パッド。
【請求項１１】
前記冷却流体が、冷凍に適合した７％の生理食塩水である、請求項１から１０までのいずれか一項に記載の冷却パッド。
【請求項１２】
カバー・シートとともに組立体に含まれるときの、請求項１から１１までのいずれか一項に記載の冷却パッド。
【請求項１３】
接着手段とともに、請求項１から１２までのいずれか一項に記載の冷却パッドを収容する、冷却する組立体。
【発明の詳細な説明】
【技術分野】
【０００１】
本発明は、種々の実施例において、出産の後、及び精管切除後若しくは長時間自転車に乗った後などの他の状況において会陰を落ち着かせることができる、又は乳腺炎にかかっている乳房の不快感を緩和することができる冷却パッドに関する。豪州仮特許出願第２０１６９０５２４４号及び第２０１７９０３３８７号の優先権が主張され、これらの内容はいずれも参考として本明細書に援用される。
【背景技術】
【０００２】
経膣出産後は、膣部及び会陰部が非常に痛み、腫れ、敏感になる場合がある。深刻な組織外傷の結果、この不快感がかなり強くなる場合がある。
【０００３】
現在の慣例は、緩和のための間に合わせの手段として、（場合によってはゴムの中に包まれた）氷を使用することである。経膣出産後に痛み、腫れ、擦れ、又は敏感になっている会陰を処置するように設計された、満足のいく冷却装置は存在しない。
【０００４】
同様に、会陰が痛み、緩和が望ましい、他の状況が存在する。実例の１つは、精管切除後に経験される不快感である。別の実例は、擦れが起こり得る、長時間のサイクリング後の不快感である。
【０００５】
母乳を与えている母親は乳腺炎を発症する場合があり、これは、炎症によって生じる痛みが乳児に母乳を与えるときに悪化する、つらい状態である。
【発明の概要】
【発明が解決しようとする課題】
【０００６】
上述のような状況での緩和を可能にし得る、又は少なくとも有用な代替手段を提供することができる、効果的で安価な冷却パッドが求められている。
【課題を解決するための手段】
【０００７】
したがって、第１の態様では、本発明は、痛み又は不快感を軽減するための冷却パッドであって、
−  冷却用の流体を収容する１つ又は複数のチャンバと、
−  １つ又は複数のチャンバの内側に位置付けられ、体液が通り抜けることを可能にする、少なくとも１つのアパーチャと
を含む、冷却パッドを提供する。
【０００８】
乳腺炎の痛み又は不快感を軽減するのに適した一実施例では、パッドは、乳頭を収めるようなサイズにされた単一のアパーチャを有する。この実施例では、パッドは、ウェビングによって連結された複数の同心のチャンバを有することが好ましい。
【０００９】
経膣分娩後に会陰を落ち着かせるのに適した別の実施例では、パッドは、体液が通り抜けることを可能にする複数のアパーチャを含む。アパーチャは、ウェブに形成されることが好ましい。
【００１０】
会陰を落ち着かせるのに特に好ましい一実施例では、冷却パッドは、前方端部及び後方端部を有する。冷却用の流体を収容するチャンバは、前方端部には第１の容積部を有し、前方端部と後方端部の間には１対の第２の容積部を有する。１対の第２の容積部の間のウェブは、体液が通り抜けることを可能にする、複数のアパーチャを有する。
【００１１】
この実施例では、パッドは、説明されたチャンバを１つだけ有することが好ましい。チャンバはおおよそ馬蹄形の構成であり、第１の容積部は馬蹄形の頭部に位置付けられ、第２の容積部は馬蹄形の脚部に位置付けられることが好ましい。馬蹄形の端部同士の間には開口が存在し、これらの端部はパッドの後方端部に位置付けられる。
【００１２】
第１の容積部は大きい表面積を有するものとして提示され、一方、第２の容積部のそれぞれは、より小さい表面積を有することが好ましい。第１の容積部は、１対の第２の容積部とともに切れ目のないチャンバを形成することができる。
【００１３】
ウェブが複数のアパーチャを有するとき、５つのアパーチャなど、いくつかのアパーチャが存在し、アパーチャは、体液が制限なしに、又はほぼ制限なしに冷却パッドを通って流れることを可能にするサイズのものであることが好ましい。一実施例では、各アパーチャは概ね楕円形状であり、長さは１．５〜２．５ｃｍの間、幅は最大１ｃｍである。各アパーチャは、たとえば第１の容積部から第２の容積部の端部まで空間的に間隔を空けて位置付けられ、異なるサイズであることが好ましい。この実施例では、第１の容積部により近い１つ又は複数のアパーチャは、第２の容積部の端部の方のアパーチャよりも大きいことが好ましい。アパーチャのサイズは、ウェブに沿って次第に変化してもよい。
【００１４】
第２の態様では、本発明は会陰を落ち着かせるための冷却パッドを提供し、このパッドは、前方端部及び後方端部を有し、またウェブ上に位置付けられて冷却用の流体を収容する１つ又は複数のチャンバを含む。
【００１５】
第２の態様の本発明は、体液が通過するものではない、自転車パッド又は前立腺パッドとして使用するのに特に適している。
【００１６】
本発明の態様では、１つ又は複数のチャンバは、冷却パッドの外縁部、又はその近傍に存在することが好ましい。１つ又は複数のチャンバは、外縁部の周りで切れ目なく続く、又は外縁部全体の周りを通る必要はない。しかし、１つ又は複数のチャンバは、外縁部のかなりの部分の周りを通っていることが好ましい。
【００１７】
パッドは、任意の所望の形状を有することができる。たとえば、経膣分娩後に使用されるとき、パッドは、概ね細長い楕円形でもよく、産褥パッドに類似した形状でもよい。本出願においては、パッドは、幅がより広い前方端部、及び幅がより狭い後方端部を有してもよい。乳腺炎向けに使用されるとき、パッドは円形でもよい。自転車パッドとして使用されるとき、形状は涙の形でもよい。前立腺パッドにおいては、形状は概ね長方形でもよい。
【００１８】
本発明のどちらの態様においても、各チャンバの断面は円形でも卵形でもよく、任意の他の適した形状でもよい。
【００１９】
本発明のどちらの態様においても、冷却流体は、任意の適した流体でもよい。好ましい一実施例では、冷却流体は生理食塩水であり、これは、溶液を淡緑青色などの所望の色に着色する、ある量の無害な色素を含んでもよい。生理食塩水は、保存期間を延ばすために抗菌剤を含んでもよい。他の実例として、冷却流体は水でもよく、別の無毒な溶液でもよく、ゲルでもよい。
【００２０】
冷却流体は、必要に応じて冷凍庫又は冷蔵庫で冷却されてもよい。代わりに、冷却流体は、冷凍する必要がないタイプの流体でもよい。この流体は、尿素、及び水が入った内側チューブを含むことができ、水が入った内側チューブは、破られると、尿素との間で吸熱反応を生じ、その結果として冷える。
【００２１】
好ましくは、チャンバのサイズ及び数、並びに冷却流体のタイプは、冷凍庫又は冷蔵庫から取り出した後、最大で約３０分間、冷却による緩和を提供するように設計される。冷却流体が、パッドが緩和を提供する効果がなくなる温度に達すると、パッドは廃棄されてもよい。
【００２２】
前方部分、中央部分、及び後方部分のうちの少なくとも２つの間でセグメント分けされる、複数のチャンバが存在してもよい。この実施例では、折り線により、各部分の境界が示され得る。チャンバは、前方部分、中央部分、及び後方部分の３つすべての部分の間でセグメント分けされていることが好ましい。前方部分及び後方部分のチャンバは、互いに向き合う馬蹄形の構成で形作られ、配向されることが好ましい。後方部分の馬蹄形チャンバは、前方部分の馬蹄形チャンバより大きく、その内側で中央に位置決めされる別の個別のチャンバ（好ましくは涙形）を有することが好ましい。
【００２３】
好都合には、本発明の冷却パッドは、適したシート・プラスチックの２つの層をヒート・シールして、単一ステップでチャンバ及びウェブを形成することによって形成されてもよい。本発明の冷却パッドは、任意の他の適したやり方で形成されてもよい。
【００２４】
本発明の冷却パッドは単体で使用されてもよく、使用するために、適したポケットに挿入されてもよい。別の実施例では、本発明の冷却パッドは、たとえば快適性を高める、又は衣服若しくはパッドへの接着を可能にするために、組立体の１つ又は複数の層と組み合わされてもよい。
【００２５】
たとえば、カバー層は、冷却パッドの上に配置され、そこに接着されて、冷却パッドと会陰の関係する部位又は身体の他の部位との間の接触面を形成することができる。該当する用途では、カバー層は、体液が通り抜けることを可能にしなければならない。カバー層は、使用者の身体にフィットするような外形にされ得る。カバー層には、治癒を助ける、又は心地よい香りを提供するように、植物性製品又は他の製品を染み込ませてもよい。必要に応じて、カバー層は、冷却パッド及びカバーを衣服に接着するために、片面に接着剤を備えた羽を組み込んでもよい。
【００２６】
本発明の冷却パッドは、身体、下着、又は体液を吸収するためのパッドに冷却パッドを接着することを可能にする、１つ又は複数の粘着ストリップを含んでもよい。剥離式の裏当てにより、冷却パッドを使用する準備が整うまで接着剤を保護することができる。粘着ストリップは、冷却パッドの任意の所望の位置に位置付けられてもよいが、使用時の冷却パッドの下側に位置付けられることが好ましい。
【００２７】
その種々の態様における本発明の冷却パッドは、冷却パッド上、又はそのパッケージ上に、そこに印刷又は埋設された感温装置を有してもよい。こうした装置により、本発明の冷却パッドがすぐ使用するのに十分冷たくなったときが示され得る。
【００２８】
次に、添付図面とともに、非限定的な実施例と関連付けて本発明を説明する。
【図面の簡単な説明】
【００２９】
【図１】組立て後の形態では羽付きパッドとしてパッケージ化される、本発明の第１の実施例による冷却パッド組立体の構成要素の分解図である。
【図２】図１の構成要素を収めている、組立て後の羽付きパッドの斜視図である。
【図３】組立て後の形態では伸縮性パッドとしてパッケージ化される、本発明の第２の実施例による冷却パッド組立体の構成要素の分解図である。
【図４】図３の構成要素を収めている、組立て後の伸縮性パッドの斜視図である。
【図５】第１の実施例の一変形形態である、本発明の第３の実施例による冷却パッド組立体の構成要素の分解図である。
【図６】図５の冷却パッド組立体の平面図である。
【図７】冷却パッド組立体の第１の実施例、第２の実施例、及び第３の実施例とともに使用することができ、構造上の公称寸法データと重ねられた、冷却パッド設計の変形形態の概略図である。
【図８】冷却パッド組立体の第１の実施例、第２の実施例、及び第３の実施例とともに使用することができ、構造上の公称寸法データと重ねられた、冷却パッド設計の変形形態の概略図である。
【図９】冷却パッド組立体の第１の実施例、第２の実施例、及び第３の実施例とともに使用することができ、構造上の公称寸法データと重ねられた、冷却パッド設計の変形形態の概略図である。
【図１０Ａ】図１〜図９に関連して示される実施例のパッケージ形態の概略図である。
【図１０Ｂ】図１〜図９に関連して示される実施例のパッケージ形態の概略図である。
【図１０Ｃ】図１〜図９に関連して示される実施例のパッケージ形態の概略図である。
【図１１Ａ】図１〜図９に関連して示される実施例について使用することができる冷却パックの様式の概略図である。
【図１１Ｂ】図１〜図９に関連して示される実施例について使用することができる冷却パックの様式の概略図である。
【図１１Ｃ】図１〜図９に関連して示される実施例について使用することができる冷却パックの様式の概略図である。
【図１２】経膣分娩後に痛み又は不快感の軽減を必要とする、会陰の主要領域を示す図である。
【図１３】組立体にカバー層及び剥離式の裏当てを含む、本発明の別の実施例による冷却パッド組立体の構成要素の分解斜視図である。
【図１４】図１３に含まれる冷却パッドの、上からの平面図である。
【図１５】図１４に示された冷却パッドの側面図である。
【図１６】産褥パッドの上に重ね合わされた、図１３の組立体の平面図である。
【図１７】粘着ストリップがカバー層に位置付けられた、冷却パッド組立体の別の実施例の分解斜視図である。
【図１８】図１７の組立体の、下からの平面図である。
【図１９】粘着ストリップが冷却パッドの両面に位置付けられた、冷却パッド組立体の別の実施例の分解斜視図である。
【図２０】図１９の組立体の、下からの平面図である。
【図２１】本発明の冷却パッドの使用方法の一実施例を表した図である。
【図２２】本発明の冷却パッドの使用方法の一実施例を表した図である。
【図２３】本発明の冷却パッドの使用方法の一実施例を表した図である。
【図２４】本発明による乳腺炎パッドの平面図である。
【図２５】図２４のパッドの概略断側面図である。
【図２６】本発明による自転車パッドの一実施例の平面図である。
【図２７】本発明による自転車パッドの別の実施例の平面図である。
【図２８】組立体の中の図２７の自転車パッドの分解図である。
【図２９】本発明による前立腺パッド又は精管切除パッドの一実施例の平面図である。
【図３０】図２９の実施例の側面図である。
【図３１】組立体の中に挿入される、図２９の前立腺パッドの分解図である。
【図３２】図３１の組立体を示す図である。
【発明を実施するための形態】
【００３０】
本明細書ではいくつかの実施例が提示され、そのうちのいくつかは種々の構成を有する。いずれも、本発明の範囲を限定するものではない。
【００３１】
図１及び図２には、羽付きバージョンの冷却パッド組立体である第１の実施例が、分解図、及び組立て後の図で示してある。図１には、この構造の組立体及び層が示される。図２には、この実施例の、構成された最終的な組立体が示してある。
【００３２】
図１に示した組立体１０は、１回限りの使用の、使い捨てのパッド組立体のためのものである。組立体１０は、肌に接触するものである柔らかく薄い吸収層１と、創傷の治癒を助けるためにウィッチ・ヘーゼル及びラベンダーのうちの１つ又は複数を任意選択で染み込ませた薄い吸収層２と、不快感を和らげる一助となり、腫れ、会陰裂傷、及び会陰切開からの回復を助ける冷却パッド３と、流体を吸収する超吸収コア層４と、体液からの保護を強化するための不浸透性の底面層５と、パッドを定位置に保つ粘着ストリップ６とを備える。
【００３３】
層１及び層５は、羽７を含む。
【００３４】
冷却パッド３については、図６に関連して以下でより詳細に説明する。
【００３５】
図３及び図４には、伸縮バージョンの冷却パッド組立体２０である第２の実施例が、分解図及び組立て後の図で示してある。
【００３６】
図１及び図２の場合と同じ項目には、同じ標識が記載されている。
【００３７】
図３に示された組立体２０も、１回限りの使用の、使い捨てのパッド組立体のためのものである。組立体２０は、肌に接触するものである柔らかく薄い吸収層１１と、創傷の治癒を助けるためにウィッチ・ヘーゼル及びラベンダーのうちの１つ又は複数を任意選択で染み込ませた薄い吸収層２と、不快感を和らげる一助となり、腫れ、会陰裂傷、及び会陰切開からの回復を助ける冷却パッド３と、流体を吸収する超吸収コア層４と、体液からの保護を強化するための不浸透性の底面層１５と、パッド２０を定位置に保つ粘着ストリップ６とを備える。
【００３８】
明らかであるように、図３及び図４は、図１及び図２に類似している。形状をわずかに変更して羽ありの占有面積になるのを避けたことを除き、大部分の層は同じである。顕著な違いは、不浸透性の底面層５が伸縮性のストリップ・リブ部８を特徴とし、それにより、図４において明らかなように、図１及び図２の羽７の代わりに伸縮性の側部を有する組立て後パッドになっているということである。伸縮性の側部９は、ぴったりとフィットして漏れを防ぐように、また快適にフィットするように設計される。
【００３９】
図５及び図６には、第１の実施例及び第２の実施例の変形形態を形成する構成要素が分解図で詳細に示してあり、この変形形態では、「ポケット」オプションが、図１〜図４に関連して概略的に説明及び図示した、完全に組み立てられる構成の代替手段になっている。
【００４０】
図５には、この代替の組立体３０が示してある。層１１、層４、層１５、及び層６は、図３及び図４に関連して上に述べた第２の実施例と本質的に同一であり、伸縮性リブ部８は省かれている。
【００４１】
薄い吸収層１２ａと１２ｂは、上部に開口を残して互いに融着されて、冷却パッド３を後から挿入することを可能にする。層１２ｂは、底面層４、１５及び６を覆い、またそれらに結合される。この代替手段は羽なしで示されているが、図１及び図２の場合のように羽を有してもよく、図３及び図４の場合のように伸縮性の側部を有してもよい。
【００４２】
この代替手段の恩恵には、必要な場合にのみ冷却パッド３が挿入されること、及び冷却パッド３を組立体の一部としてではなく別々に提供できることが含まれる。
【００４３】
図６から分かるように、冷却パッド３は、１３で示された外縁部を有し、内側チャンバ１４、並びに外縁部１３の周りのチャンバ１６、１７、１８及び１９を含む。各チャンバ１４、１６、１７、１８及び１９は、生理食塩水である、冷却用の流体を収容する。
【００４４】
チャンバ１４、１６、１７、１８及び１９はウェブ２１によってつなぎ合わされ、このウェブ２１は、体液が超吸収コア層４へと通り抜けるためのアパーチャ２２〜２５も含む。アパーチャ２２〜２５は、チャンバ１６、１７、１８及び１９の内側に位置付けられる。
【００４５】
図７Ａ〜図９Ａには冷却パッド組立体の３つの変形形態が示してあり、図７Ｂ、図８Ｂ及び図９Ｂは、これら３つの変形形態についての、対応する公称寸法を示す。冷却パッド３は、実際には少なくとも２つの層で覆われているはずであるが、図７〜図９のそれぞれでは、冷却パッド３は説明のために見えるようになっている。
【００４６】
図７Ａでは、冷却パッド３は組立体４０の一部としてｉｎ  ｓｉｔｕで示されており、この組立体４０は、（羽７を省いた）組立体１０、又は（伸縮性の側部９を省いた）組立体２０に類似している。話を簡単にするために、ウェブ２１は省かれている。会陰の主要領域の概略図が組立体４０に重ね合わせられて、使用中の組立体４０の位置を示している。詳細については、図１２に関連して以下に説明する。
【００４７】
図７Ａから分かるように、組立体４０は、パッケージ化のための折り目２６及び２７を有して、組立体４０を前方セグメント２８、中央セグメント２９、及び後方セグメント３１である３つの折り畳みセグメントに分ける。話を簡単にするために、図７Ｂでは折り目２６及び２７は省かれている。
【００４８】
図７Ａ及び図７Ｂの実施例では、冷却パッド３は、前方セグメント２８には馬蹄形チャンバ１８を有し、中央セグメント２９には、間隔を空けて配置された細長く平行なチャンバ１７及び１９を有し、後方セグメント３１には涙形チャンバ１４及び馬蹄形チャンバ１６を有する。馬蹄形チャンバ１６は、馬蹄形チャンバ１８と向き合う。
【００４９】
図示されているように、着用されたとき、後方セグメント３１は肛門に当接するように配置され、中央セグメント２９は外陰部に当接する。
【００５０】
図８Ａ及び図８Ｂには、組立体４０と同様に、組立体の前方セグメント、中央セグメント、及び後方セグメント（２８、２９、３１）に位置付けられたチャンバを備える組立体５０が示してある。しかし、使用されている冷却パッド３３はより小さく、冷却する領域に特に的が絞られており、また前方セグメント２８には内側に向いた馬蹄形チャンバ３８を有し、中央セグメント２９に沿って延在する、Ｓ字に湾曲しているか又はウィッシュボーン形の細長い２つのチャンバ３７及び３９を有し、後方セグメント３１には、終端をなす半円形チャンバ３６を有する。Ｓ字に湾曲した細長い２つのチャンバ３７、３９は、中央セグメント２９の涙形チャンバ３４を囲む。使用に際し、組立体５０は、チャンバ３８、３７、及び３９が外陰部に隣り合うように、また涙形チャンバ３４が肛門に隣り合うように配置される。
【００５１】
前方セグメント２８の馬蹄形チャンバ３８と後方セグメント３１の半円形チャンバ３６は入れ替えられてもよく、当業者には理解されるはずのよく似た類似物で置換されてもよい。
【００５２】
図９Ａ及び図９Ｂには、前方セグメント２８及び中央セグメント２９にのみチャンバを有してチャンバを有するセグメントの数を減らした組立体６０が示してある。やはり、冷却は、冷却する領域に特に的が絞られている。冷却パッド４３は、前方セグメント２８に馬蹄形チャンバ３２を有し、この馬蹄形チャンバ３２は、中央セグメント２９のより大きい馬蹄形チャンバ３５に向き合い、この馬蹄形チャンバ３５は、その内側で中央に位置決めされる涙形チャンバ４１を有する。明らかに分かるように、後方セグメント３１はチャンバをもたない。着用されたとき、外陰部は前方セグメント２８及び中央セグメント２９にまたがり、肛門は、馬蹄形チャンバ３５の後ろの方で中央セグメント２９に重なる。
【００５３】
冷却パッド４３は、前方セグメント２８及び中央セグメント２９まで小さくされた、冷却パッド３の縮小版である。冷却パッド３及び４３において明らかに分かるように、中央セグメント又は後方セグメントの馬蹄形チャンバ１６、３５は、前方セグメントのチャンバ１８、３２より大きい。大きい方の馬蹄形チャンバ１６、３５は、小さい方の馬蹄形チャンバ１８、３２の約３分の１幅広であり、また小さい方の馬蹄形チャンバ１８、３２の約２倍の長さである。
【００５４】
大きい方の馬蹄形チャンバ１６、３５及びＳ字に湾曲したチャンバ３７、３９は、中央の涙形チャンバ１４、３４、４１を囲み、この涙形チャンバ１４、３４、４１は、これらの外側チャンバによって画定される内部の空間を部分的に埋めるように配向される。これにより、この領域全体にわたって均一に冷却される感覚がもたらされる。
【００５５】
図１０Ａ、図１０Ｂ、及び図１０Ｃは、上述の様々な実施例のうちのいくつかの組立体をパッケージ化する態様に関する。図７Ａ、図８Ａ、図９Ａから最もはっきりと分かるように、組立体４０、５０、６０は、おおよそ線２６及び線２７に沿って三つ折りにする準備ができるように、複数の部分にセグメント化される。これにより、図１０Ａ〜図１０Ｃに示すようにほぼ正方形のパッケージ７０になる。
【００５６】
図１０Ａには、三つ折りにされ、外側カバー４４に入れてパッケージ化され、４５及び４６において知られている方式でヒート・シールされた後の、組立体４０、５０、６０のうちの任意のものが示してある。カバー４４には、感温装置４７が含まれる。装置４７は、組立体４０、５０、６０が使用するのに十分冷たくなったときを示すように、外観を変える。装置４７は、Ｃｏｌｏｒａｄｏ、Ｕｎｉｔｅｄ  Ｓｔａｔｅｓ  ｏｆ  ＡｍｅｒｉｃａのＣｈｒｏｍａｔｉｃ  Ｔｅｃｈｎｏｌｏｇｉｅｓ  Ｉｎｃ．から入手可能なものなど、適した感温インク及び／又は感温コーティングを有する。
【００５７】
図１０Ｂには、図１０Ａに示したパッケージ化された組立体４０、５０、６０を小さく積み重ねた山４８が示してある。図１０Ｃには、図７Ａ、図８Ａ、図９Ａに示した折り線２６及び２７に従って図１０Ａ及び図１０Ｂのパッケージ４４に入るように折り畳まれるときのこうした組立体それぞれのセグメンテーションが、断面図で示されている。
【００５８】
図１１Ａ、図１１Ｂ、図１１Ｃには、本明細書に記載の様々な実施例にわたる本発明の冷却パッドのチャンバの様々な構成オプションを、断面図で概略的に示してある。便宜上、各オプションは、冷却パッド３のチャンバ１７について示してある。
【００５９】
図１１Ａには、冷却オプションＡが示してある。チャンバ１７は、水又は生理食塩水４５で満たされている。これには、無毒で手頃な溶液であるという利点があり、この溶液は、使用前に凍らせる必要がある。
【００６０】
図１１Ｂには、冷却オプションＢが示してある。チャンバ１７は、無毒で冷凍可能なゲル５１で満たされている。ゲル５１は使用前に凍らせる必要があり、繰り返し使うことができる。
【００６１】
図１１Ｃには、冷却オプションＣが示してある。チャンバ１７は、尿素５２、及び水が入った内側チューブ５３で満たされており、これは、凍らせることを必要としない、無毒で即時に冷える組合せである。水が入った内側チューブ５３を破るようにチャンバ１７を操作したとき、その結果として尿素５２との間で生じる吸熱反応によって冷たくなる。
【００６２】
理解されるように、これらのオプションのそれぞれには、固有の利点及び妥協点がある。
【００６３】
図１２には、出産後、冷却に必要とされる主要領域が概略的に示してある。これらには、会陰裂傷（第１度、第２度、第３度、及び第４度の裂傷）、５５、５６及び５７で示された予想される会陰切開、並びに（標識付けされていない）全体的な腫れが含まれる。
【００６４】
肛門性器間距離（ＡＧＤ：ａｎｏｇｅｎｉｔａｌ  ｄｉｓｔａｎｃｅ）は、女性では肛門５８から膣の下部までで測定され、生殖年齢の女性に関する２つの研究［１、２］において説明されたＡＧＤ距離に基づくと、図１２に示すように、おおよそ２２ｍｍ〜４９ｍｍの間である。
【００６５】
できるだけ多くの女性が必要とする領域を十分に覆うために、上述の冷却パッドの設計には、４０ｍｍである平均の肛門性器間距離を使用した。
【００６６】
次に図１３を参照すると、冷却パッド１１０は、前方端部１１２及び後方端部１１４を有する。チャンバ１１６は冷却用の生理食塩水を収容し、前方端部１１２には第１の容積部１１８を有し、前方端部１１２と後方端部１１４の間には１対の第２の容積部１２０を有する。この実施例では、第１の容積部１１８は、第２の容積部１２０から隔てられていない。
【００６７】
チャンバ１１６は、ほぼ馬蹄形である。第１の容積部１１８は馬蹄形の頭部１２２に位置付けられ、第２の容積部１２０は脚部を形成する。
【００６８】
１対の第２の容積部１２０の間にはウェブ１２４が形成され、このウェブ１２４は、体液が通り抜けることを可能にする５つのアパーチャ１２６ａ〜１２６ｅを有する。
【００６９】
冷却パッド１１０は単体で使用されてもよい。しかし、この実施例では、冷却パッド１１０は、カバー層１３０と剥離式の裏当て１３２との間に挟まれて組立体の一部になっており、また使用する前に冷凍庫又は冷蔵庫に入れられることが意図されている。
【００７０】
カバー層１３０は、接着剤（図示せず）によって冷却パッド１１０に接着される。図１３から分かるように、カバー層１３０は、冷却パッド１１０と同様に、身体にフィットするような外形にされる。カバー層１３０は、必要に応じて羽を組み込んでもよい。
【００７１】
剥離式の裏当て１３２を取り除くことにより、冷却パッド１１０の下側の接着剤（図示せず）を使用して、冷却パッド１１０を下着（図示せず）に貼り付けることができる。
【００７２】
次に図１４及び図１５に目を向けると、冷却パッド１１０の例示的なバージョンの寸法が提示してある。この実施例では、チャンバ１１６は、７８ｍｌの生理食塩水を収容する。
【００７３】
図１６では、図１３〜図１５の組立体が、（破線の輪郭で示された）産褥パッド１３４に重ね合わされた状態で、寸法とともに示してある。冷却パッド１１０は、剥離式の裏当て１３２を取り除いて接着剤（図示せず）を露出させた後、産褥パッド１３４に貼り付けられる。
【００７４】
図１７及び図１８には、第２の形態の組立体１４０が示してある。同じ標識を使用して、同じか又は同等の構成要素を示す。組立体１４０は、これまでの図の場合と同じ冷却パッド１１０、カバー層１３０、及び剥離式の裏当て１３２を有し、これらについては再び詳細に説明しない。組立体１４０には、冷却パッド１１０よりも長い粘着ストリップ１３６が存在する。その結果、図１８に示すように組立体１４０が組み立てられたとき、粘着ストリップ１３６は冷却パッド１１０を越えて延在し、下着又は産褥パッドに組立体１４０を貼り付けるために使用することができる。粘着ストリップ１３６は、体液がカバー層１３０及び冷却パッド１１０のアパーチャ１２６を通り抜けるのを邪魔しないように、間隔を空けて配置されることに留意されたい。
【００７５】
図１９及び図２０には、第３の形態の組立体１５０が示してある。同じ標識を使用して、同じか又は同等の構成要素を示す。組立体１５０は、これまでの図の場合と同じ冷却パッド１１０、カバー層１３０、及び剥離式の裏当て１３２を有し、これらについては再び詳細に説明しない。組立体１５０には、粘着ストリップ１３６ａ及び１３６ｂが存在する。２つの粘着ストリップ１３６ａは、冷却パッド１１０とカバー層１３０の間に位置付けられる。２つの粘着ストリップ１３６ｂは、冷却パッド１１０と剥離式の裏当て１３２の間に位置付けられる。組立体１４０とは対照的に、粘着ストリップ１３６ａ、１３６ｂは、冷却パッド１１０よりも少し短い。図２０に示すように組立体１５０が組み立てられたとき、２つの粘着ストリップ１３６ａはカバー層１３０を冷却パッド１１０に貼り付け、２つの粘着ストリップ１３６ｂは冷却パッド１１０に貼り付く。裏当て層１３２が剥離されたとき、粘着ストリップ１３６ｂは、下着又は産褥パッドに組立体１５０を貼り付けるために使用することができる。上述のように、粘着ストリップ１３６ａ、１３６ｂは、体液がカバー層１３０及び冷却パッド１１０のアパーチャ１２６を通り抜けるのを邪魔しないように、間隔を空けて配置される。
【００７６】
図２１〜図２３には、本発明による組立体がどのように利用され得るかが示してある。図１９及び図２０に示した組立体１５０を参照するが、この使用方法は他の実施例にも適用することができる。
【００７７】
使用前に、まず組立体１５０を冷蔵又は冷凍する。必要な場合は、組立体１５０をどのパッケージ（図１０Ａ）からも取り出す。剥離式の裏当て層１３２を取り除いて、粘着ストリップ１３６ｂを露出させる（図２２）。粘着ストリップ１３６ｂが下に向くように組立体１５０を裏返し、産褥パッド１３４又は下着１３８に所望の通りに位置決めする（図２３）。
【００７８】
乳腺炎パッドとして使用するのに適した冷却パッド１６０の一実施例が、図２４に示してある。冷却パッド１６０は、通路１６３及び１６４においてつなぎ合わされる、２つの同心のチャンバ１６１及び１６２を有する。一代替実施例では、通路１６３及び１６４は省かれてもよい。チャンバ１６１は外縁部１６５に沿って位置する。
【００７９】
冷却パッド１６０の中央には、ウェブ１６７の中に形成された単一のアパーチャ１６６が存在する。また、ウェブ１６７により、チャンバ１６１と１６２がつなぎ合わされる。アパーチャ１６６は、チャンバ１６１及び１６２の内側に存在する。
【００８０】
図２５の概略断面図から理解することができるように、アパーチャ１６６は、乳房１６９の乳頭１６８を収めるようなサイズにされる。
【００８１】
上述の実施例のそれぞれは、体液が通り抜けるのを可能にするための少なくとも１つのアパーチャを含んでおり、アパーチャは、１つ又は複数のチャンバの内側に位置付けられる。以下の実施例は、本発明の第２の態様のもの、すなわち会陰を落ち着かせるための冷却パッドであり、このパッドは前方端部及び後方端部を有し、またウェブ上に位置付けられて冷却用の流体を収容する１つ又は複数のチャンバを含む。
【００８２】
図２６には、前方端部１７１及び後方端部１７２を有する冷却パッド１７０が平面図で示してある。この実施例では、冷却パッド１７０は、ウェブ１７４によって支持される単一のチャンバ１７３を有する。ウェブ１７４及びチャンバ１７３は概ね涙形である。チャンバ１７３の第１の容積部又は大きい方の容積部は、後方端部１７２の近傍に位置付けられる。チャンバ１７３は外縁部１７５の近傍に位置付けられ、その周囲を通る。示してあるように、チャンバ１７３はウェブ１７４の一部を囲む。
【００８３】
冷却パッド１７０には、図３のものと同様であるが涙形の、柔らかく薄い吸収層１１が提供されてもよい。冷却パッド１７０は、衣服への取付けを可能にする上述の粘着ストリップも有してもよい。冷却パッド１７０を使用して、サイクリングによって引き起こされる会陰の痛み又は不快感を軽減することができる。
【００８４】
自転車パッドの第２の実施例が、図２７及び図２８に示してある。冷却パッド１８０は、前方端部１８１、及び前方端部１８１と同じ形状の後方端部１８２を有する。この実施例では、冷却パッド１８０は、不織布であるウェブ１８７によって支持される、連結された４つのチャンバ１８３、１８４、１８５及び１８６を有する。チャンバ１８３、１８４、１８５及び１８６はプラスチックで作られ、生理食塩水で満たされる。
【００８５】
図２８に示してあるように、冷却パッド１８０は、プラスチックに結合された不織布である上部層１８８、同じ材料の下部層１８９、及び組立体を衣服に取り付けるための４つの粘着ストリップ１７６を有する組立体に提供される。
【００８６】
図２９〜図３１の実施例は、精管切除、又は前立腺の侵襲後に、会陰の痛み又は不快感を軽減するために使用するのに適している。冷却パッド１９０は、ウェブ１９４上に位置付けられた３つの平行なチャンバ１９１、１９２及び１９３を有する。図３０に示してあるように、３つの平行なチャンバ１９１、１９２及び１９３により、使用に際して、矢印で示すようにパッド１９０を身体の形状に沿わせることが可能になる。
【００８７】
冷却パッド１９０は、図３１及び図３２に示すように、図６の実施例と同様のやり方で組立体の中に挿入されてもよい。組立体は、上部不織布層１９５、及び伸縮性ストリップ１９７を備えた下部不織布層１９６を有する。層１９５は、点線１９８で示すように、開口１９９（図３２）を残して層１９６に結合され、所望の温度まで冷却パッド１９０を冷蔵又は冷凍した後、この開口１９９から冷却パッド１９０が挿入される。粘着ストリップ１７６を使用して、組立体を衣服に取り付けることができる。
【００８８】
図３２に示すように、伸縮性ストリップ１９７により、組立体の側部がぴったりとフィットすることが可能になる。冷却パッド１９０は繰り返し使うことができるが、組立体の残りの部分は、使用後に廃棄することができる。
【００８９】
本発明の冷却パッドは、任意の適した材料で作ることができる。好ましい材料は、プラスチックの基層についてはナイロン又はポリエチレンであり、柔らかい上部層については、パーソナル・ケア製品及び創傷ケア製品の製造で知られている、Ｆｉｘｏｍｕｌｌ（商標）又は同様の材料である。好ましいＦｉｘｏｍｕｌｌ製品は、たとえば、Ｍｏｕｎｔ  Ｗａｖｅｒｌｅｙ、Ｖｉｃｔｏｒｉａ、ＡｕｓｔｒａｌｉａのＢＳＮ  Ｍｅｄｉｃａｌから、Ｆｉｘｏｍｕｌｌ  Ｓｔｒｅｔｃｈとして入手可能である。Ｆｉｘｏｍｕｌｌ  Ｓｔｒｅｔｃｈは、頻繁に動き起伏が大きい身体の部位に使用するのに特に適した、低アレルギー性で多孔質、粘着性の不織テープである。これは、すぐに剥がせる裏当て紙に載って肌に優しいポリアクリレートの接着剤でコーティングされた、ストレッチ可能な白い不織ポリエステルのドレッシング・シートから作られる。図１３の実施例では、たとえば上部層１３０がＦｉｘｏｍｕｌｌ  Ｓｔｒｅｔｃｈから作られ、ポリアクリレート接着剤を使用して冷却パッド１１０に接着されてもよい。
【００９０】
必要な場合には、ヒート・シールを使用して、ラミネーションによってボンディングが行われてもよい。チャンバをシールしている間に、チャンバを冷却流体で満たしてもよい。
【００９１】
好ましい冷却流体は、生理食塩水、低張の７％塩類溶液である。各チャンバは、最大容積が７０〜８０ｍｌのものであることが好ましい。色素が含まれてもよいように、保存期間を延ばすために保存料又は抗菌剤も含まれてもよい。
【００９２】
高張の７％の生理食塩水を使用すると、本発明の冷却パッドは、凍ることなく摂氏−４度まで冷却され得る。適した実施例では、摂氏−４度まで冷却された場合、冷却パッドは、少なくとも３０分間、摂氏−４度から＋４度の範囲で緩和を提供することができる。
【００９３】
上述の本発明の実施例は、本発明の範囲を限定するものではないことが理解されよう。変形形態は、本発明の趣旨及び範囲の中に含まれる。
【図１】
2020501860.tif 000003
【図２】
2020501860.tif 000004
【図３】
2020501860.tif 000005
【図４】
2020501860.tif 000006
【図５】
2020501860.tif 000007
【図６】
2020501860.tif 000008
【図７Ａ】
2020501860.tif 000009
【図７Ｂ】
2020501860.tif 000010
【図８Ａ】
2020501860.tif 000011
【図８Ｂ】
2020501860.tif 000012
【図９Ａ】
2020501860.tif 000013
【図９Ｂ】
2020501860.tif 000014
【図１０Ａ】
2020501860.tif 000015
【図１０Ｂ】
2020501860.tif 000016
【図１０Ｃ】
2020501860.tif 000017
【図１１Ａ】
2020501860.tif 000018
【図１１Ｂ】
2020501860.tif 000019
【図１１Ｃ】
2020501860.tif 000020
【図１２】
2020501860.tif 000021
【図１３】
2020501860.tif 000022
【図１４】
2020501860.tif 000023
【図１５】
2020501860.tif 000024
【図１６】
2020501860.tif 000025
【図１７】
2020501860.tif 000026
【図１８】
2020501860.tif 000027
【図１９】
2020501860.tif 000028
【図２０】
2020501860.tif 000029
【図２１】
2020501860.tif 000030
【図２２】
2020501860.tif 000031
【図２３】
2020501860.tif 000032
【図２４】
2020501860.tif 000033
【図２５】
2020501860.tif 000034
【図２６】
2020501860.tif 000035
【図２７】
2020501860.tif 000036
【図２８】
2020501860.tif 000037
【図２９】
2020501860.tif 000038
【図３０】
2020501860.tif 000039
【図３１】
2020501860.tif 000040
【図３２】
2020501860.tif 000041
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
痛み又は不快感を軽減するための冷却パッドであって、
−  前方端部及び後方端部と、
−  冷却用の流体を収容する１つ又は複数のチャンバであって、冷却用の液体とともに、１つの前記チャンバ又は複数の前記チャンバを含み、おおよそ馬蹄形の構成に頭部及び２つの脚部を形成し、前記馬蹄形の前記頭部に位置付けられた第１の容積部と、前記馬蹄形の前記脚部のそれぞれに位置付けられた第２の容積部を有する、前記１つ又は複数のチャンバと、
−  前記馬蹄形の前記頭部と前記馬蹄形の前記脚部との間に延在するウェブと、
−  前記ウェブに形成され、体液が通り抜けることを可能にする、少なくとも１つのアパーチャと
を含む、冷却パッド。
【請求項２】
前記ウェブが、複数の前記アパーチャを有する、請求項１に記載の冷却パッド。
【請求項３】
前記アパーチャのサイズが互いに異なる、請求項２に記載の冷却パッド。
【請求項４】
前記第１の容積部が、前記前方端部に存在し、前記第２の容積部が、前記前方端部と前記後方端部の間に存在する、請求項１から３までのいずれか一項に記載の冷却パッド。
【請求項５】
前記第１の容積部は前記第２の容積部から隔てられていない、請求項１から４までのいずれか一項に記載の冷却パッド。
【請求項６】
冷却用の液体の第３の容積部を有するチャンバを含み、前記第３の容積部は前記パッドの前記後方端部に位置付けられている、請求項４に記載の冷却パッド。
【請求項７】
冷却用の液体の第４の容積部を有するチャンバを含み、前記第４の容積部は前記パッドの前記後方端部の近傍であって前記第３の容積部の前方に位置付けられている、請求項６に記載の冷却パッド。
【請求項８】
会陰を落ち着かせるために使用されるときの、請求項１から７までのいずれか一項に記載の冷却パッド。
【請求項９】
前記冷却流体が、冷凍に適合した生理食塩水である、請求項１から８までのいずれか一項に記載の冷却パッド。
【請求項１０】
カバー・シートとともに組立体に含まれるときの、請求項１から９までのいずれか一項に記載の冷却パッド。
【請求項１１】
接着手段とともに、請求項１から１０までのいずれか一項に記載の冷却パッドを収容する、冷却する組立体。
【請求項１２】
吸収パッドを伴って使用されるときの、請求項１から１０までのいずれか一項に記載の冷却パッド。
【国際調査報告】
2020501860.tif 000042
2020501860.tif 000043
2020501860.tif 000044
2020501860.tif 000045
2020501860.tif 000046